(57)【要約】【課題】検査中に携帯型記録媒体が誤って取り出されてしまうことを未然に防止し、体腔内撮像データの損失防止や携帯型記録媒体の破損防止を図ることができる受信装置を提供する。【解決手段】記録動作中に（ステップＳ１０１：Ｙｅｓ）、携帯型記録媒体の取出し操作が検出された場合には（ステップＳ１０３：Ｙｅｓ）、携帯型記録媒体が取り出される前に警告手段を動作させて取出し操作を行わないようにする旨の警告をユーザに対して発する（ステップＳ１０５）ようにしたので、記録動作中の携帯型記録媒体が誤って取り出されてしまうことを未然に防止することができ、よって、体腔内撮像データの損失防止や携帯型記録媒体の破損防止を図ることができるようにした。【選択図】        図４
2007061190.tif 000002
【特許請求の範囲】
【請求項１】
被検体内に導入された被検体内導入装置から送信される無線信号を受信して着脱自在に装着された携帯型記録媒体に記録動作を行う受信装置であって、
記録動作中であることを検出する動作中検出手段と、
前記携帯型記録媒体の取出し操作を検出する取出し操作検出手段と、
ユーザに対して警告を発する警告手段と、
記録動作中に前記携帯型記録媒体の取出し操作が検出された場合には該携帯型記録媒体が取り出される前に前記警告手段を動作させる制御手段と、
を備えたことを特徴とする受信装置。
【請求項２】
前記携帯型記録媒体は、複数の操作又は動作により取出し可能に装着され、
前記取出し操作検出手段は、複数の操作又は動作のうちの最初の操作又は動作の開始時に前記携帯型記録媒体の取出し操作を検出することを特徴とする請求項１に記載の受信装置。
【請求項３】
前記警告手段は、表示部の警告表示により警告を発することを特徴とする請求項１又は２に記載の受信装置。
【請求項４】
前記警告手段は、発光素子の点灯又は点滅により警告を発することを特徴とする請求項１又は２に記載の受信装置。
【請求項５】
前記発光素子を前記携帯型記録媒体の取出し部近傍に備えることを特徴とする請求項４に記載の受信装置。
【請求項６】
前記警告手段は、警告音により警告を発することを特徴とする請求項１又は２に記載の受信装置。
【発明の詳細な説明】
【技術分野】
【０００１】
本発明は、被検体内に導入されるカプセル型内視鏡等の被検体内導入装置から送信される無線信号を受信して着脱自在に装着された携帯型記録媒体に記録動作を行う受信装置に関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体（人体）から自然排出されるまでの観察期間、たとえば食道、胃、小腸などの臓器の内部（体腔内）をその蠕動運動に伴って移動し、撮像機能を用いて所定の撮像レートで順次撮像する構成を有する。
【０００３】
また、これら臓器内を移動するこの観察期間、カプセル型内視鏡によって体腔内で撮像された画像データは、順次無線通信などの無線通信機能により、被検者の外部に送信され、外部の受信機内に設けられたメモリに蓄積される。被検者がこの無線通信機能とメモリ機能を備えた受信機を携帯することにより、被検者は、カプセル型内視鏡を飲み込んだ後、排出されるまでの観察期間であっても、不自由を被ることなく自由に行動が可能になる。観察後は、医者もしくは看護師によって、受信機のメモリに蓄積された画像データに基づいて、体腔内の画像をディスプレイなどの表示手段に表示させて診断を行うことができる（特許文献１参照）。
【０００４】
【特許文献１】特開２００３−１９１１１号公報
【発明の開示】
【発明が解決しようとする課題】
【０００５】
ここで、受信機内に設けられるメモリとしては、たとえば、受信機とワークステーション等の表示装置との双方に対して着脱可能であって、両者に対して挿着された時に情報の出力又は記録が可能な構造を有するコンパクトフラッシュ（登録商標）メモリなどの携帯型記録媒体を用いることが提案されている。すなわち、カプセル型内視鏡が被検体の体腔内を移動している間は、携帯型記録媒体は、被検体に取り付けられた受信機に挿着されてカプセル型内視鏡から送信されるデータを記録し、カプセル型内視鏡が被検体から排出された後には、受信機から取り出されて表示装置に挿着され、この表示装置によって、携帯型記録媒体に記録されたデータが読み出される構成を有する。このように、受信機と表示装置との間のデータの受け渡しを、携帯型記録媒体によって行うことで、被検体が体腔内の撮影中に自由に動作することが可能となり、また、表示装置との間のデータの受け渡し期間の短縮にも寄与している。
【０００６】
しかしながら、携帯型記録媒体は受信機に対して着脱自在であるが故に、カプセル型内視鏡による体腔内撮像データの受信記録中であっても、ユーザ（医師、看護師あるいは患者など）が携帯型記録媒体を受信機から取り出そうとすれば、携帯型記録媒体が取り出されてしまう。このように受信記録中（検査中）に、携帯型記録媒体が誤って受信機から取り出されてしまうと、受信機は、カプセル型内視鏡から送信されて受信した体腔内撮像データを記録保存することができなくなってしまい、逐次得られる検査用の貴重な体腔内撮像データを失ってしまうこととなる。つまり、カプセル型内視鏡による検査は、例えば８時間程度といったように長時間に及ぶため、検査をやり直すわけにもいかず、このような体腔内撮像データの喪失があると、折角の検査が無駄になってしまう。また、記録動作中に携帯型記録媒体が取り出されると、記録媒体自身が破損してしまい、既記録部分の体腔内撮像データも使用不可となってしまうことがある。かといって、記録媒体取り出しに対するロック機構を強化すると、構造が複雑になるだけでなく、記録媒体の取出し操作性が悪くなってしまう。従来は、このような事態に対する有効な対策が講じられていないものである。
【０００７】
本発明は、上記に鑑みてなされたものであって、検査中に携帯型記録媒体が誤って取り出されてしまうことを未然に防止し、体腔内撮像データの損失防止や携帯型記録媒体の破損防止を図ることができる受信装置を提供することを目的とする。
【課題を解決するための手段】
【０００８】
上述した課題を解決し、目的を達成するために、請求項１に係る受信装置は、被検体内に導入された被検体内導入装置から送信される無線信号を受信して着脱自在に装着された携帯型記録媒体に記録動作を行う受信装置であって、記録動作中であることを検出する動作中検出手段と、前記携帯型記録媒体の取出し操作を検出する取出し操作検出手段と、ユーザに対して警告を発する警告手段と、記録動作中に前記携帯型記録媒体の取出し操作が検出された場合には該携帯型記録媒体が取り出される前に前記警告手段を動作させる制御手段と、を備えたことを特徴とする。
【０００９】
請求項２に係る受信装置は、上記発明において、前記携帯型記録媒体は、複数の操作又は動作により取出し可能に装着され、前記取出し操作検出手段は、複数の操作又は動作のうちの最初の操作又は動作の開始時に前記携帯型記録媒体の取出し操作を検出することを特徴とする。
【００１０】
請求項３に係る受信装置は、上記発明において、前記警告手段は、表示部の警告表示により警告を発することを特徴とする。
【００１１】
請求項４に係る受信装置は、上記発明において、前記警告手段は、発光素子の点灯又は点滅により警告を発することを特徴とする。
【００１２】
請求項５に係る受信装置は、上記発明において、前記発光素子を前記携帯型記録媒体の取出し部近傍に備えることを特徴とする。
【００１３】
請求項６に係る受信装置は、上記発明において、前記警告手段は、警告音により警告を発することを特徴とする。
【発明の効果】
【００１４】
本発明に係る受信装置によれば、記録動作中に携帯型記録媒体の取出し操作が検出された場合には携帯型記録媒体が取り出される前に警告手段を動作させて取出し操作を行わないようにする旨の警告をユーザに対して発するようにしたので、記録動作中の携帯型記録媒体が誤って取り出されてしまうことを未然に防止することができ、よって、体腔内撮像データの損失防止や携帯型記録媒体の破損防止を図ることができるという効果を奏する。
【発明を実施するための最良の形態】
【００１５】
以下に、本発明に係る受信装置の実施の形態を図面に基づいて詳細に説明する。なお、本発明は、実施の形態に限定されるものではなく、本発明の要旨を逸脱しない範囲で種々の変更実施の形態が可能である。
【００１６】
図１は、本発明に係る受信装置の好適な実施の形態である無線型被検体内情報取得システムの全体構成を示す模式図である。この無線型被検体内情報取得システムは、送信装置である被検体内導入装置の一例としてカプセル型内視鏡を用いている。図１において、無線型被検体内情報取得システムは、無線受信機能を有する受信装置２と、被検体１内に導入され、体腔内画像を撮像して受信装置２に対して映像信号などのデータ送信を行うカプセル型内視鏡３とを備える。また、無線型被検体内情報取得システムは、受信装置２が受信した映像信号に基づいて体腔内画像を表示する表示装置４と、受信装置２と表示装置４との間でデータの受け渡しを行うための携帯型記録媒体５とを備える。受信装置２は、被検体１の体外表面に貼付される複数の受信用アンテナＡ１〜Ａｎを有するアンテナユニット２ａと、この受信用アンテナＡ１〜Ａｎを介して受信された無線信号の処理などを行う受信装置本体としての受信本体ユニット２ｂとを備え、これらユニットは、コネクタなどを介して着脱可能に接続される。なお、受信用アンテナＡ１〜Ａｎは、たとえば被検体が着用可能な受信ジャケットに備え付けられ、被検体１は、この受信ジャケットを着用することによって、受信用アンテナＡ１〜Ａｎを装着するようにしてもよい。また、この場合、受信用アンテナＡ１〜Ａｎは、ジャケットに対して着脱可能なものであってもよい。
【００１７】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としてもよいし、プリンタなどのように、他の媒体に画像を出力する構成としてもよい。
【００１８】
携帯型記録媒体５は、コンパクトフラッシュ（登録商標）メモリなどが用いられ、受信本体ユニット２ｂ及び表示装置４に対して着脱可能であって、両者に対して挿着された時に情報の出力又は記録が可能な構造を有する。本実施の形態では、携帯型記録媒体５は、たとえば検査前には、ワークステーションの表示装置４に挿着されて検査ＩＤなどの識別情報が記憶され、さらに検査の直前には、受信本体ユニット２ｂに挿着され、この受信本体ユニット２ｂによって、この識別情報が読み出されて受信本体ユニット２ｂ内に登録される。また、カプセル型内視鏡３が被検体１の体腔内を移動している間は、携帯型記録媒体５は、被検体１に取り付けられた受信本体ユニット２ｂに挿着されてカプセル型内視鏡３から送信されるデータを記録する。そして、カプセル型内視鏡３が被検体１から排出された後、つまり、被検体１の内部の撮像が終了した後には、受信本体ユニット２ｂから取り出されて表示装置４に挿着され、この表示装置４によって、携帯型記録媒体５に記録されたデータが読み出される構成を有する。たとえば、受信本体ユニット２ｂと表示装置４とのデータの受け渡しを、携帯型記録媒体５によって行うことで、被検体１が体腔内の撮影中に自由に動作することが可能となり、また、表示装置４との間のデータの受け渡し期間の短縮にも寄与している。
【００１９】
次に、図２の模式図及び図３のブロック図を用いて受信装置の構成について説明する。受信装置２は、カプセル型内視鏡３から無線送信された体腔内の画像データを受信する機能を有する。図２及び図３に示すように、受信装置２は、被検体１によって装着携帯可能な形状を有し、アンテナユニット２ａと、このアンテナユニット２ａと着脱可能に接続される受信本体ユニット２ｂとから構成される。アンテナユニット２ａは、カプセル型内視鏡３から送信された無線信号を受信用アンテナＡ１〜Ａｎを介して受信して、映像信号に復調して出力し、受信本体ユニット２ｂは、この映像信号の信号処理などを行う。
【００２０】
受信本体ユニット２ｂの側面には、図２に示すように、携帯型記録媒体５を挿入するためのカード挿入口２１がスリット状に形成されており、このカード挿入口２１を閉塞するカード蓋２２がガイド部材２２ａによってスライド自在に設けられている。これにより、本実施の形態では、カード蓋２２をスライド開放させてカード挿入口２１から携帯型記録媒体５を挿入して内部コネクタに差し込むことにより受信本体ユニット２ｂに対する携帯型記録媒体５の挿着が行われる。一方、携帯型記録媒体５の取出し時には、１アクションのみでは取り出すことはできず、カード蓋２２をスライド開放させる操作（動作）と、カード蓋２２の開放により露出した携帯型記録媒体５をカード挿入口２１から引き抜く（あるいは一旦押し込む）操作（動作）との２アクションを要する機構とされている。
【００２１】
受信本体ユニット２ｂにおいて、カード挿入口２１の近傍には、警告手段用の発光素子としてのＬＥＤ２３が設けられている。また、受信本体ユニット２ｂの前面には、たとえばＬＣＤなどの液晶ディスプレイからなる表示部２４が設けられ、たとえば上記登録された検査ＩＤなどの識別情報の表示を行っている。また、前面上部には、適宜情報を音声出力するスピーカ２５が設けられている。
【００２２】
アンテナユニット２ａは、図３に示すように、受信用アンテナＡ１〜Ａｎのいずれか一つを選択的に切り替える接続切替処理を行う切替スイッチＳＷと、この切替スイッチＳＷの後段に接続され、切替スイッチＳＷによって切替接続された受信用アンテナＡ１〜Ａｎからの無線信号を増幅し、送信情報としての映像信号に復調する受信回路１１を備える。
【００２３】
受信本体ユニット２ｂは、アンテナユニット２ａが復調した映像信号を受信して信号処理する。受信本体ユニット２ｂは、受信回路１１の後段に接続される信号処理回路１３及びＡ／Ｄ変換部１４と、各種情報を記憶する記憶部１５と、携帯型記録媒体５と、ＬＥＤ２３と、表示部２４と、スピーカ２５と、取出し検出部２６と、これらの各構成部位を制御する制御部Ｃと、受信本体ユニット２ｂとアンテナユニット２ａとに電力供給を行う電力供給部１６とを備える。
【００２４】
取出し検出部２６は、機械的なスイッチ等により構成されて携帯型記録媒体５の取出し操作を検出する。より具体的には、２アクションを要する取出し操作中で、最初の操作であるカード蓋２２をスライド開放させる操作の開始時点で携帯型記録媒体５の取出し操作を検出するように構成されている。
【００２５】
信号処理回路１３は、アンテナユニット２ａの受信回路１１で復調された映像信号データに対して、シリアル−パラレル変換、画素補間処理、画像圧縮処理などの信号処理を行う。制御部Ｃは、アンテナの切替制御を行う切替制御部Ｃ１と、記録動作中であることを検出する動作中検出手段としての記録動作中検出部Ｃ２と、ＬＥＤ２３を通じてユーザに対して取出し操作を行わないようにする旨の点灯又は点滅による警告を行うか否かを制御する制御手段としての警告制御部Ｃ３とを備える。
【００２６】
受信回路１１は、切替スイッチＳＷから出力された無線信号を増幅し、復調した映像信号Ｓ１を信号処理回路１３に出力するとともに、増幅した無線信号の信号強度を示す受信強度信号Ｓ２をＡ／Ｄ変換部１４に出力する。信号処理回路１３によって処理された画像データは、制御部Ｃによって携帯型記録媒体５に記憶されるとともに、必要に応じて表示部２４に画像表示される。Ａ／Ｄ変換部１４によってデジタル信号に変換された受信強度信号Ｓ２は、制御部Ｃに取り込まれる。切替制御部Ｃ１は、受信用アンテナＡ１〜Ａｎを順次切り替えて得たこの受信強度信号Ｓ２をもとに、最も大きい信号強度で受信した受信用アンテナを、画像データを取得するための受信用アンテナとして選択するとともに、このアンテナへの切り替えを指示する切替信号Ｓ３を切替スイッチＳＷに出力する。また、制御部Ｃは、選択された受信用アンテナと対応付けて、画像データとともに、各受信用アンテナで受信した信号強度を携帯型記録媒体５に記憶する。この記憶された各受信用アンテナの信号強度は、画像データが受信されたときの被検体内のカプセル型内視鏡３の位置を算出するための情報となる。
【００２７】
記録動作中検出部Ｃ２は、装填された携帯型記録媒体５に対する記録動作中（検査中）であることを検出するためのものである。たとえば、受信本体ユニット２ｂの電源投入後、カプセル型内視鏡３から送られてくる無線信号中からトリガ用の同期信号を検出しない段階では、記録動作開始前（検査前）と判定し、一旦、同期信号を検出したら、それ以降は記録開始後と判定すればよい。あるいは、検査開始前には携帯型記録媒体５は、フォーマット初期化されるので、携帯型記録媒体５への書き込み状況を見ることで、携帯型記録媒体５に対して体腔内画像データがまだ書き込まれていない段階では、記録動作開始前と判定するようにしてもよい。また、カプセル型内視鏡３を用いた１回の検査は、記録開始後一定時間、たとえば８時間程度で終了し、体腔外に排出されることから、記録動作開始後の経過時間を監視し、一定時間経過後であれば記録動作が終了したと判定すればよい。
【００２８】
警告制御部Ｃ３は、記録動作中に携帯型記録媒体５の取出し操作が取出し検出部２６によって検出された場合には携帯型記録媒体５がカード挿入口２１から取り出される前にＬＥＤ２３を点灯又は点滅させることによりユーザに対して警告を発するようにＬＥＤ２３の動作を制御する。
【００２９】
次いで、図４に示す概略フローチャートを参照して、本実施の形態の制御部Ｃにより実行される媒体取出し操作に対する警告制御例について説明する。この処理は、受信装置２（受信本体ユニット２ｂ）の電源スイッチが投入されている状況で実行される（ステップＳ１００：Ｙｅｓ）。このような状況下で、記録動作中検出部Ｃ２の検出動作によって記録動作中であるか否かを判定する（ステップＳ１０１）。記録動作中でなければ（ステップＳ１０１：Ｎｏ）、携帯型記録媒体５の取出しは自由であり、ユーザに対する警告を要しないため、ＬＥＤ２３による警告は行わないように制御する（ステップＳ１０２）。
【００３０】
また、記録動作中であれば（ステップＳ１０１：Ｙｅｓ）、取出し検出部２６による検出結果を参照することで、携帯型記録媒体５の取出し操作が検出されたか否かを判定する（ステップＳ１０３）。携帯型記録媒体５の取出し操作が検出されていない場合は（ステップＳ１０３：Ｎｏ）、正常な状態であり、ユーザに対する警告を要しないため、ＬＥＤ２３による警告は行わないように制御する（ステップＳ１０４）。
【００３１】
一方、記録動作中において（ステップＳ１０１：Ｙｅｓ）、携帯型記録媒体５の取出し操作が検出された場合は（ステップＳ１０３：Ｙｅｓ）、異常な状態であり、ＬＥＤ２３を点灯させ、又は、点滅させることにより、ユーザに対して携帯型記録媒体５の取出し操作を行わないようにする旨の警告を発するようにＬＥＤ２３を制御する（ステップＳ１０５）。
【００３２】
このような警告を発することにより、記録動作中の携帯型記録媒体５が誤って取り出されてしまうことを未然に防止することができ、よって、体腔内撮像データの損失防止や携帯型記録媒体の破損防止を図ることができる。特に、本実施の形態では、携帯型記録媒体５の取出しには、２アクションを要するものとし、その最初の操作であるカード蓋２２の開放操作の開始時点で取出し操作があったものとして検出し、その時点でその後の携帯型記録媒体５をコネクタから引き抜く操作前に取出し操作を行わないように警告を発するので、記録動作中に携帯型記録媒体５がコネクタから取り外されてしまうことを未然に防止することができる。加えて、この警告を携帯型記録媒体５の取出し操作を行うカード挿入口２１の近傍に設けたＬＥＤ２３により行うので、ユーザに対して効果的に取出し禁止の警告をなすことが可能となる。
【００３３】
なお、本実施の形態では、ＬＥＤ２３の点灯又は点滅により警告を発するようにしたが、例えば、表示部２４に「記録中です。カードを取り出さないでください。」等の警告メッセージを表示させるようにしてもよく、あるいは、スピーカ２５を通じてカード取出しを禁止する旨の警告音を発するようにしてもよい。
【００３４】
また、本実施の形態では、携帯型記録媒体５の取出しには、カード蓋２２の開放操作、携帯型記録媒体５の引き抜き操作の２アクション（操作又は動作）を要するようにしたが、このような例に限らず、たとえば、カード蓋の開放操作、イジェクトバーの押下操作なる２アクション、ロック解除操作、携帯型記録媒体５の引き抜き操作なる２アクション等であってもよい。
【図面の簡単な説明】
【００３５】
【図１】本発明の実施の形態に係る無線型被検体内情報取得システムの全体構成を示す模式図である。
【図２】受信装置の外観の概略を示す模式図である。
【図３】受信装置の構成例を示す概略ブロック図である。
【図４】媒体取出し操作に対する警告制御例を示す概略フローチャートである。
【符号の説明】
【００３６】
１  被検体
２  受信装置
３  カプセル型内視鏡
５  携帯型記録媒体
２３  ＬＥＤ
２４  表示部
２５  スピーカ
【図１】
2007061190.tif 000003
【図２】
2007061190.tif 000004
【図３】
2007061190.tif 000005
【図４】
2007061190.tif 000006